【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
事業者の無線周波数（ＲＦ）信号をルーティングし且つスイッチングするための方法であって、
１つ又は複数のダウンリンク無線周波数を送信し且つ１つ又は複数のアップリンク無線周波数を受信するようにそれぞれが構成された、１つ又は複数のデジタル遠隔ユニットを用意するステップと、
前記１つ又は複数のデジタル遠隔ユニットのうちの少なくとも１つと通信するように構成された少なくとも１つのデジタルアクセスユニットを用意するステップと、
前記１つ又は複数のデジタル遠隔ユニットと前記少なくとも１つのデジタルアクセスユニットとをループ構成で結び付けて、各デジタル遠隔ユニットが、前記ループ上のいずれの方向でもアクセスされ得るようにするステップと、
前記１つ又は複数のデジタル遠隔ユニット及び前記少なくとも１つのデジタルアクセスユニットの間でパケット化された信号をルーティングし且つスイッチングするステップと、
を含む方法。
【請求項２】
前記１つ又は複数のデジタル遠隔ユニットは、第１のデジタル遠隔ユニットと、第２のデジタル遠隔ユニットとを備え、前記第１のデジタル遠隔ユニットが、前記第２のデジタル遠隔ユニットとは異なる数のチャネルを送受信する請求項１に記載の方法。
【請求項３】
前記第１のデジタル遠隔ユニットは、前記第２のデジタル遠隔ユニットに比べて、より多くのキャリアを送受信する請求項２に記載の方法。
【請求項４】
前記少なくとも１つのデジタルアクセスユニットは、複数の周波数帯域で通信するようにさらに構成される請求項１に記載の方法。
【請求項５】
前記１つ又は複数のデジタル遠隔ユニットのうちの少なくとも１つによって送受信されるチャネルの数を変更するステップをさらに含む請求項１に記載の方法。
【請求項６】
送受信されるチャネルの数を変更するステップは、前記１つ又は複数のデジタル遠隔ユニットのうちの少なくとも１つが所定のトラフィック負荷を伝送するかどうかを判定するサブステップを含む請求項５に記載の方法。
【請求項７】
前記所定のトラフィック負荷が、所定のしきい値より大きい請求項６に記載の方法。
【請求項８】
前記少なくとも１つのデジタルアクセスユニットは、第１の基地局及び第２の基地局と通信するように結合される請求項１に記載の方法。
【請求項９】
前記１つ又は複数のデジタル遠隔ユニットと前記少なくとも１つのデジタルアクセスユニットは、前記１つ又は複数のデジタル遠隔ユニットの第１のデジタル遠隔ユニットに第１のファイバ上でダウンリンク信号を伝送すること、及び、前記１つ又は複数のデジタル遠隔ユニットの第２のデジタル遠隔ユニットに第２のファイバ上でダウンリンク信号を伝送することによってループ構成で結び付けられる請求項１に記載の方法。
【請求項１０】
前記１つ又は複数のデジタル遠隔ユニットに関連付けられた無線リソースの量を算出するステップと、
前記１つ又は複数のデジタル遠隔ユニットのうちの少なくとも１つに関連付けられた無線リソースを有効にする又は無効にするステップと、
をさらに含む請求項１に記載の方法。
【請求項１１】
事業者の無線周波数（ＲＦ）信号をルーティングし且つスイッチングするためのシステムであって、
１つ又は複数のダウンリンクＲＦを受信し且つ１つ又は複数のアップリンクＲＦを送信するようにそれぞれが構成された、第１の複数のデジタル遠隔ユニットと、
１つ又は複数のダウンリンクＲＦを受信し且つ１つ又は複数のアップリンクＲＦを送信するようにそれぞれが構成された、第２の複数のデジタル遠隔ユニットと、
前記第１の複数のデジタル遠隔ユニットのうちの少なくとも１つ、及び前記第２の複数のデジタル遠隔ユニットのうちの少なくとも１つと通信するように構成された少なくとも１つのデジタルアクセスユニットと、を備え、
前記第１の複数のデジタル遠隔ユニットのそれぞれと前記少なくとも１つのデジタルアクセスユニットとが第１のループ構成で、前記第１の複数のデジタル遠隔ユニットのそれぞれが前記第１のループ上のいずれの方向でもアクセス可能であるようにデイジーチェーン接続され、
前記第２の複数のデジタル遠隔ユニットのそれぞれと前記少なくとも１つのデジタルアクセスユニットが第２のループ構成で、前記第２の複数のデジタル遠隔ユニットのそれぞれが前記第２のループ上のいずれの方向でもアクセス可能であるようにデイジーチェーン接続される、システム。
【請求項１２】
前記第１の複数のデジタル遠隔ユニットは、第１の数のチャネルを送受信するように構成された第１のデジタル遠隔ユニットと、第２の数のチャネルを送受信するように構成された第２のデジタル遠隔ユニットと、を備える請求項１１に記載のシステム。
【請求項１３】
前記第１の数のチャネルは、前記第２の数のチャネルより多い請求項１２に記載のシステム。
【請求項１４】
前記少なくとも１つのデジタルアクセスユニットは、複数の周波数帯域で通信するようにさらに構成される請求項１１に記載のシステム。
【請求項１５】
前記第１の複数のデジタル遠隔ユニットは、前記１つ又は複数のデジタル遠隔ユニットのうちの少なくとも１つによって送受信されるチャネルの数を変更するステップをさらに備える請求項１１に記載のシステム。
【請求項１６】
送受信されるチャネルの数を変更するステップは、前記１つ又は複数のデジタル遠隔ユニットのうちの前記少なくとも１つが所定のトラフィック負荷を伝送するかどうかを判定するサブステップを備える請求項１５に記載のシステム。
【請求項１７】
前記少なくとも１つのデジタルアクセスユニットが複数の周波数帯域をサポートするようにさらに構成され、
前記第１の複数のデジタル遠隔ユニットは、前記複数の周波数帯域のうちの第１の帯域をサポートするように構成され、
前記第２の複数のデジタル遠隔ユニットは、前記複数の周波数帯域のうちの第２の帯域をサポートするように構成され、
前記第１の帯域と前記第２の帯域とが異なる周波数帯域である請求項１１に記載のシステム。
【請求項１８】
事業者の無線周波数（ＲＦ）信号をルーティングし且つスイッチングするためのシステムであって、
第１のデジタルアクセスユニットと、
第２のデジタルアクセスユニットと、
前記第１のデジタルアクセスユニットと通信するように結合された第１の複数のデジタル遠隔ユニットと、
前記第２のデジタルアクセスユニットと通信するように結合された第２の複数のデジタル遠隔ユニットと、
前記第１のデジタルアクセスユニットを前記第２のデジタルアクセスユニットに接続する通信媒体と、
を備えるシステム。
【請求項１９】
前記第１の複数のデジタル遠隔ユニットの各デジタル遠隔ユニットと前記第１のデジタルアクセスユニットとは、第１のループ構成でデイジーチェーン接続されて、前記第１の複数のデジタル遠隔ユニットの各デジタル遠隔ユニットが、前記第１のループ上のいずれの方向でもアクセス可能である請求項１８に記載のシステム。
【請求項２０】
前記第２の複数のデジタル遠隔ユニットの各デジタル遠隔ユニット、前記第１のデジタルアクセスユニット、及び前記第２のデジタルアクセスユニットは、或る構成でデイジーチェーン接続されて、前記第２の複数のデジタル遠隔ユニットの各デジタル遠隔ユニットが、前記第１のデジタルアクセスユニット及び前記第２のデジタルアクセスユニットからアクセス可能である請求項１８に記載のシステム。
【請求項２１】
前記通信媒体は、第３の複数のデジタル遠隔ユニットを備える請求項１８に記載のシステム。
【請求項２２】
前記第３の複数のデジタル遠隔ユニットの各デジタル遠隔ユニットと前記第２のデジタルアクセスユニットとは、第２のループ構成でデイジーチェーン接続されて、前記第３の複数のデジタル遠隔ユニットの各デジタル遠隔ユニットが、前記第２のループ上のいずれの方向でもアクセス可能である請求項２１に記載のシステム。
【請求項２３】
前記第１の複数のデジタル遠隔ユニット又は前記第２の複数のデジタル遠隔ユニットの少なくともいずれかは、第１のワイヤレス事業者から信号を受信するように構成され、
前記第３の複数のデジタル遠隔ユニットが、前記第１のワイヤレス事業者及び第２のワイヤレス事業者から信号を受信するように構成される請求項１８に記載のシステム。
【請求項２４】
第１の基地局と、第２の基地局とをさらに備え、前記第１の基地局は、前記第１のデジタルアクセスユニットと通信するように結合され、前記第２の基地局は、前記第２のデジタルアクセスユニットと通信するように結合される請求項１８に記載のシステム。
【請求項２５】
前記第１の基地局は、第１のワイヤレス事業者からの信号を送受信するように構成され、
前記第２の基地局は、第２のワイヤレス事業者からの信号を送受信するように構成される請求項２４に記載のシステム。
【請求項２６】
前記第１の複数の遠隔無線ユニットのそれぞれは、互いにスター構成で相互接続される、請求項１８に記載のシステム。
【請求項２７】
前記第１のデジタルアクセスユニットと前記第２のデジタルアクセスユニットとはそれぞれ、１つ又は複数の光波長を用いて前記第１の複数の遠隔無線ユニットと通信するように構成される、請求項１８に記載のシステム。
【請求項２８】
前記第１のデジタルアクセスユニットと前記第２のデジタルアクセスユニットとはそれぞれ、ＲＦインターフェイスを介して、１つ又は複数の基地局に接続される、請求項１８に記載のシステム。
【請求項２９】
前記第１のデジタルアクセスユニットと前記第２のデジタルアクセスユニットとは、複数のデジタルインターフェイスを介して、１つ又は複数の基地局に接続される、請求項１８に記載のシステム。